(57)【要約】【課題】  メッセンジャー基盤の銀行口座取引履歴に関連する便利機能を提供する方法、システム、および非一時的なコンピュータ読み取り可能な記録媒体を提供する。【解決手段】  銀行口座取引履歴提供方法は、銀行口座に対する取引履歴要求が受信されると、前記銀行口座の取引履歴をローディングする段階、前記取引履歴に含まれた取引対象とマッチングされるメッセンジャー上の情報を確認する段階、および前記銀行口座に対して生成されたチャットルームにおいて、前記取引履歴の各取引件別の取引内容をメッセージ単位で表示するが、このとき、前記取引対象のメッセンジャー上のユーザ情報に設定されたプロフィールを連携させて表示する段階を含む。【選択図】      図４
2020109643.tif 000002
【特許請求の範囲】
【請求項１】
情報処理装置において、
メモリに含まれるコンピュータ読み取り可能な命令を実行するように構成される少なくとも１つのプロセッサ
を含み、
前記少なくとも１つのプロセッサは、
銀行口座に対する取引履歴要求が受信されると、前記銀行口座の取引履歴をローディングする取引履歴ロード部、
前記取引履歴に含まれた取引対象とマッチングされるメッセンジャー上の情報を確認する情報確認部、および
前記銀行口座に対して生成されたチャットルームにおいて、前記取引履歴の各取引件別の取引内容をメッセージ単位で表示するが、このとき、前記取引対象のメッセンジャー上のユーザ情報に設定されたプロフィールを連携させて表示する取引履歴提供部
を備える、情報処理装置。
【請求項２】
前記取引履歴提供部は、
前記チャットルームに表示可能なメッセージ類型を利用し、前記取引履歴を出金履歴と入金履歴とに区分して表示する、請求項１に記載の情報処理装置。
【請求項３】
前記取引履歴提供部は、
取引類型によってユーザのメッセンジャー上のプロフィールまたは前記取引対象のメッセンジャー上のプロフィールを表示する、請求項１に記載の情報処理装置。
【請求項４】
前記取引履歴提供部は、
前記チャットルーム内のインタフェースとして、前記チャットルームにメモを登録するためのメモ機能と前記チャットルームと関連するアラームを設定するためのアラーム機能のうちの少なくとも１つを開始させるユーザインタフェースを提供する、請求項１に記載の情報処理装置。
【請求項５】
前記取引履歴提供部は、
前記ユーザインタフェースにより、前記チャットルームに前記メモを登録するためのメモ登録要求または前記チャットルームと関連する前記アラームを設定するためのアラーム設定要求が受信された場合、前記メモまたは前記アラームを示すメッセージを個別トランザクションとして処理して前記チャットルームに追加する、請求項４に記載の情報処理装置。
【請求項６】
前記取引履歴提供部は、
前記チャットルームで特定の取引対象のプロフィールが選択されると、前記特定の取引対象との取引履歴を選別して他の画面に表示する、請求項１に記載の情報処理装置。
【請求項７】
前記取引履歴提供部は、
前記特定の取引対象がメッセンジャーの公式アカウントを有する取引対象の場合、前記公式アカウントに指定されたコンテンツを前記他の画面に提供する、請求項６に記載の情報処理装置。
【請求項８】
銀行口座取引履歴提供方法をコンピュータシステムに実行させるために非一時的なコンピュータ読み取り可能な記録媒体に記録されるコンピュータプログラムであって、
前記コンピュータシステムは、メモリに含まれるコンピュータ読み取り可能な命令を実行するように構成される少なくとも１つのプロセッサを含み、
前記銀行口座取引履歴提供方法は、
前記少なくとも１つのプロセッサにより、銀行口座に対する取引履歴要求が受信されると、前記銀行口座の取引履歴をローディングする段階、
前記少なくとも１つのプロセッサにより、前記取引履歴に含まれた取引対象とマッチングされるメッセンジャー上の情報を確認する段階、および
前記少なくとも１つのプロセッサにより、前記銀行口座に対して生成されたチャットルームにおいて、前記取引履歴の各取引件別の取引内容をメッセージ単位で表示するが、このとき、前記取引対象のメッセンジャー上のユーザ情報に設定されたプロフィールを連携させて表示する段階
を含む、コンピュータプログラム。
【請求項９】
前記表示する段階は、
前記チャットルームに表示可能なメッセージ類型を利用し、前記取引履歴を出金履歴と入金履歴とに区分して表示する段階
を含む、請求項８に記載のコンピュータプログラム。
【請求項１０】
前記表示する段階は、
取引類型によって前記コンピュータシステムのユーザのメッセンジャー上のプロフィールまたは前記取引対象のメッセンジャー上のプロフィールを表示する段階
を含む、請求項８に記載のコンピュータプログラム。
【請求項１１】
前記表示する段階は、
前記銀行口座の出金履歴の場合、前記コンピュータシステムのユーザのメッセンジャー上のプロフィールを表示するが、メッセンジャーの公式アカウントを有する取引対象に対しては、前記公式アカウントのメッセンジャー上のプロフィールを表示する段階
を含む、請求項８に記載のコンピュータプログラム。
【請求項１２】
前記銀行口座取引履歴提供方法は、
前記少なくとも１つのプロセッサにより、前記チャットルーム内のインタフェースとして、前記銀行口座を利用した送金機能、決済機能、引き出し機能のうちの少なくとも１つを開始させるユーザインタフェースを提供する段階
をさらに含む、請求項８に記載のコンピュータプログラム。
【請求項１３】
前記銀行口座取引履歴提供方法は、
前記少なくとも１つのプロセッサにより、前記チャットルーム内のインタフェースとして、前記チャットルームにメモを登録するためのメモ機能と前記チャットルームと関連するアラームを設定するためのアラーム機能のうちの少なくとも１つを開始させるユーザインタフェースを提供する段階
をさらに含む、請求項８に記載のコンピュータプログラム。
【請求項１４】
前記銀行口座取引履歴提供方法は、
前記少なくとも１つのプロセッサにより、前記ユーザインタフェースにより、前記チャットルームに前記メモを登録するためのメモ登録要求または前記チャットルームと関連する前記アラームを設定するためのアラーム設定要求が受信された場合、前記メモまたは前記アラームを示すメッセージを個別トランザクションとして処理して前記チャットルームに追加する段階
をさらに含む、請求項１３に記載のコンピュータプログラム。
【請求項１５】
前記表示する段階は、
前記チャットルームに登録されたメモまたは前記チャットルームに関連するアラームを示すメッセージを、前記取引履歴に関連するメッセージと区分されるように表示する段階
を含む、請求項１３に記載のコンピュータプログラム。
【請求項１６】
前記銀行口座取引履歴提供方法は、
前記少なくとも１つのプロセッサにより、前記チャットルームで特定の取引対象のプロフィールが選択されると、前記特定の取引対象との取引履歴を選別して他の画面に表示する段階
をさらに含む、請求項８に記載のコンピュータプログラム。
【請求項１７】
前記他の画面に表示する段階は、
前記特定の取引対象に対する送金機能、メモ機能、およびアラーム機能のうちの少なくとも１つを開始させるユーザインタフェースを提供する段階
を含む、請求項１６に記載のコンピュータプログラム。
【請求項１８】
前記他の画面に表示する段階は、
前記特定の取引対象がメッセンジャーの公式アカウントを有する取引対象の場合、前記公式アカウントに指定されたコンテンツを前記他の画面に提供する段階
を含む、請求項１６に記載のコンピュータプログラム。
【請求項１９】
前記他の画面に表示する段階は、
前記特定の取引対象がメッセンジャーの公式アカウントを有する取引対象の場合、前記特定の取引対象との取引履歴が前記公式アカウントに指定されたコンテンツの表示条件に対応すれば、前記コンテンツを前記他の画面に提供する段階
を含む、請求項１６に記載のコンピュータプログラム。
【請求項２０】
コンピュータシステムで実行される、銀行口座取引履歴提供方法であって、
前記コンピュータシステムは、メモリに含まれるコンピュータ読み取り可能な命令を実行するように構成される少なくとも１つのプロセッサを含み、
前記銀行口座取引履歴提供方法は、
前記少なくとも１つのプロセッサにより、銀行口座に対する取引履歴要求が受信されると、前記銀行口座の取引履歴をローディングする段階、
前記少なくとも１つのプロセッサにより、前記取引履歴に含まれた取引対象とマッチングされるメッセンジャー上の情報を確認する段階、および
前記少なくとも１つのプロセッサにより、前記銀行口座に対して生成されたチャットルームにおいて、前記取引履歴の各取引件別の取引内容をメッセージ単位で表示するが、このとき、前記取引対象のメッセンジャー上のユーザ情報に設定されたプロフィールを連携させて表示する段階
を含む、銀行口座取引履歴提供方法。
【発明の詳細な説明】
【技術分野】
【０００１】
以下の説明は、メッセンジャーバンキングサービスにおいて銀行口座の取引履歴を提供する技術に関する。
【背景技術】
【０００２】
一般的なコミュニケーションツールであるインスタントメッセンジャー（ｉｎｓｔａｎｔ  ｍｅｓｓｅｎｇｅｒ）は、メッセージやデータをリアルタイムで送受信することができるソフトウェアであって、ユーザがメッセンジャー上に会話したい相手を登録し、会話対象リストに存在する相手とリアルタイムでメッセージをやり取りすることができる。
【０００３】
インスタントメッセンジャーの利用の大衆化により、インスタントメッセンジャーが提供する機能が多様化しながら改善が加えられているが、これを利用して気軽に金融取引するためのユーザインタフェースが求められている。
【発明の概要】
【発明が解決しようとする課題】
【０００４】
銀行口座の取引履歴をチャットルーム形態で提供することができ、このとき、各取引別に、取引対象のメッセンジャー上のプロフィールをともに提供することができる。
【０００５】
ユーザの利便のために銀行口座の取引履歴を提供するチャットルームにおいて、該当のチャットルーム内のインタフェースとしてメモやアラームなどの機能を提供することができる。
【０００６】
取引履歴チャットルームにおいて、プロフィール選択によって特定された対象との取引履歴をフィルタリングして提供することができる。
【０００７】
メッセンジャーの公式アカウントを有する取引対象に対し、取引履歴チャットルームにおいて取引対象に関連するコンテンツを提供することができる。
【課題を解決するための手段】
【０００８】
情報処理装置であって、メモリに含まれるコンピュータ読み取り可能な命令を実行するように構成される少なくとも１つのプロセッサを含み、前記少なくとも１つのプロセッサは、銀行口座に対する取引履歴要求が受信されると、前記銀行口座の取引履歴をローディングする取引履歴ロード部、前記取引履歴に含まれた取引対象とマッチングされるメッセンジャー上の情報を確認する情報確認部、および前記銀行口座に対して生成されたチャットルームにおいて前記取引履歴の各取引件別の取引内容をメッセージ単位で表示するが、このとき、前記取引対象のメッセンジャー上のユーザ情報に設定されたプロフィールを連携させて表示する取引履歴提供部を備える、情報処理装置を提供する。
【０００９】
一側面によると、前記取引履歴提供部は、前記チャットルームに表示可能なメッセージ類型を利用し、前記取引履歴を出金履歴と入金履歴とに区分して表示してよい。
【００１０】
他の側面によると、前記取引履歴提供部は、取引類型に応じてユーザのメッセンジャー上のプロフィールまたは前記取引対象のメッセンジャー上のプロフィールを表示してよい。
【００１１】
また他の側面によると、前記取引履歴提供部は、前記チャットルーム内のインタフェースとして、前記チャットルームにメモを登録するためのメモ機能と前記チャットルームに関連するアラームを設定するためのアラーム機能のうちの少なくとも１つを開始させるユーザインタフェースを提供してよい。
【００１２】
また他の側面によると、前記取引履歴提供部は、前記ユーザインタフェースによって前記チャットルームに前記メモを登録するためのメモ登録要求または前記チャットルームに関連する前記アラームを設定するためのアラーム設定要求が受信された場合、前記メモまたは前記アラームを示すメッセージを個別トランザクションとして処理して前記チャットルームに追加してよい。
【００１３】
また他の側面によると、前記取引履歴提供部は、前記チャットルームで特定の取引対象のプロフィールが選択されると、前記特定の取引対象との取引履歴を選別して他の画面に表示してよい。
【００１４】
さらに他の側面によると、前記取引履歴提供部は、前記特定の取引対象がメッセンジャーの公式アカウントを有する取引対象である場合、前記公式アカウントに指定されたコンテンツを前記他の画面に提供してよい。
【００１５】
銀行口座取の引履歴を提供する方法をコンピュータシステムに実行させるために非一時的なコンピュータ読み取り可能な記録媒体に記録されるコンピュータプログラムであって、前記コンピュータシステムは、メモリに含まれるコンピュータ読み取り可能な命令を実行するように構成される少なくとも１つのプロセッサを含み、前記銀行口座取引履歴提供方法は、前記少なくとも１つのプロセッサにより、銀行口座に対する取引履歴要求が受信されると、前記銀行口座の取引履歴をローディングする段階、前記少なくとも１つのプロセッサにより、前記取引履歴に含まれた取引対象とマッチングされるメッセンジャー上の情報を確認する段階、および前記少なくとも１つのプロセッサにより、前記銀行口座に対して生成されたチャットルームにおいて前記取引履歴の各取引件別に取引内容をメッセージ単位で表示するが、このとき、前記取引対象のメッセンジャー上のユーザ情報に設定されたプロフィールを連携させて表示する段階を含む、コンピュータプログラムを提供する。
【００１６】
コンピュータシステムが実行する銀行口座取引履歴提供方法であって、前記コンピュータシステムは、メモリに含まれるコンピュータ読み取り可能な命令を実行するように構成される少なくとも１つのプロセッサを含み、前記銀行口座取引履歴提供方法は、前記少なくとも１つのプロセッサにより、銀行口座に対する取引履歴要求が受信されると、前記銀行口座の取引履歴をローディングする段階、前記少なくとも１つのプロセッサにより、前記取引履歴に含まれた取引対象とマッチングされるメッセンジャー上の情報を確認する段階、および前記少なくとも１つのプロセッサにより、前記銀行口座に対して生成されたチャットルームにおいて前記取引履歴の各取引件別に取引内容をメッセージ単位で表示するが、このとき、前記取引対象のメッセンジャー上のユーザ情報に設定されたプロフィールを連携させて表示する段階を含む、銀行口座取引履歴提供方法を提供する。
【図面の簡単な説明】
【００１７】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、電子機器のプロセッサが含むことのできる構成要素の例を示した図である。
【図４】本発明の一実施形態における、電子機器が実行することのできる方法の例を示したフローチャートである。
【図５】本発明の一実施形態における、銀行口座の取引履歴を提供する会話インタフェースの例示画面を示した図である。
【図６】本発明の一実施形態における、銀行口座の取引履歴に関連する便利機能を提供する会話インタフェースの例示画面を示した図である。
【図７】本発明の一実施形態における、銀行口座の取引履歴を提供する会話インタフェースを利用してメモを登録する過程を説明するための例示図である。
【図８】本発明の一実施形態における、１対１の取引履歴を提供する会話インタフェースの例示画面を示した図である。
【図９】本発明の一実施形態における、１対１の取引履歴を提供する会話インタフェースの他の例示画面を示した図である。
【発明を実施するための形態】
【００１８】
以下、本発明の実施形態について、添付の図面を参照しながら詳細に説明する。
【００１９】
本発明の実施形態は、メッセンジャーバンキングサービスにおいて銀行口座の取引履歴を提供する技術に関する。
【００２０】
本明細書で具体的に開示される事項などを含む実施形態は、メッセンジャーの会話インタフェースを利用して銀行口座の取引履歴に関連する便利機能を提供することができ、これによって取引履歴に関する情報を効率的に提供することができ、リソースを効率的に活用することができる。
【００２１】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、本発明の説明のための一例に過ぎず、電子機器の数やサーバの数が図１のように限定されるものではない。
【００２２】
複数の電子機器１１０、１２０、１３０、１４０は、コンピュータシステムによって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００２３】
通信方式は限定されるものではなく、ネットワーク１７０が含むことのできる通信網（一例として、移動通信網、有線インターネット、無線インターネット、放送網、衛星網など）を利用する通信方式だけではなく、機器同士の間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されるものではない。
【００２４】
サーバ１５０、１６０それぞれは、複数の電子機器１１０、１２０、１３０、１４０とネットワーク１７０を介して通信して、命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、メッセンジャーバンキングサービスなど）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００２５】
図２は、本発明の一実施形態における、電子機器およびサーバの内部構成を説明するためのブロック図である。図２では、電子機器に対する例として電子機器１１０の内部構成およびサーバ１５０の内部構成について説明する。また、他の電子機器１２０、１３０、１４０やサーバ１６０も、上述した電子機器１１０またはサーバ１５０と同一または類似の内部構成を有してよい。
【００２６】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０やサーバ１５０に含まれてもよい。また、メモリ２１１、２２１には、オペレーティングシステムと、少なくとも１つのプログラムコード（一例として、電子機器１１０においてインストールされて実行されるブラウザや特定のサービスの提供のために電子機器１１０にインストールされるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００２７】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００２８】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号や命令、コンテンツ、ファイルなどは、プロセッサ２１２やメモリ２１１に伝達されてよく、コンテンツやファイルなどは、電子機器１１０がさらに含むことのできる記録媒体（上述した永続的記録装置）に記録されてよい。
【００２９】
入力／出力インタフェース２１４は、入力／出力装置２１５とのインタフェースのための手段であってよい。例えば、入力装置は、キーボード、マウス、マイクロフォン、カメラなどの装置を含んでもよく、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するか又はサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０や電子機器１２０が提供するデータを利用して構成されるサービス画面やコンテンツが、入力／出力インタフェース２１４を通じてディスプレイに表示されてよい。
【００３０】
また、他の実施形態において、電子機器１１０およびサーバ１５０は、図２の構成要素よりも多くの構成要素を含んでもよい。しかし、大部分の従来技術による構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサやジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３１】
以下では、銀行口座の取引履歴に関連する、ユーザが使いやすいインタフェースを提供する方法およびシステムの具体的な実施形態について説明する。
【００３２】
本発明では、銀行口座の取引履歴を、該当の銀行口座に対して生成されたチャットルームにおいてチャットルーム内にメッセージ形態で整列して表示する。特に、本発明では、銀行口座の取引履歴に追加可能であるメモやアラームなどの機能を提供し、銀行口座の取引履歴で取引対象を特定し、特定された対象との取引履歴を収集して確認できるように支援する。
【００３３】
本明細書において、チャットルームとは、ユーザ同士がやり取りしたメッセージを提供するためのインタフェース画面を意味してよい。以下では、メッセンジャーのチャットルームを具体的な実施形態として説明しているが、これだけに限定されるものではなく、バンキングサービスと連動可能なＳＮＳ（ｓｏｃｉａｌ  ｎｅｔｗｏｒｋ  ｓｅｒｖｉｃｅ）のインタフェースであれば、すべて適用可能である。
【００３４】
図３は、本発明の一実施形態における、電子機器のプロセッサが含むことのできる構成要素の例を示したブロック図であり、図４は、本発明の一実施形態における、電子機器が実行することのできる方法の例を示したフローチャートである。
【００３５】
本実施形態に係る電子機器１１０には、コンピュータで実現される銀行口座取引履歴提供システムが構成されてよい。一例として、銀行口座取引履歴提供システムは、独立的に動作するプログラム形態で実現されても、あるいは特定のアプリケーションのイン−アプリ（ｉｎ−ａｐｐ）形態で構成され、前記特定のアプリケーション上で動作可能なように実現されてもよく、場合によっては、サーバ１５０との連動によってメッセンジャーバンキングサービスが提供されてもよい。
【００３６】
電子機器１１０にインストールされたアプリケーションが提供する命令に基づき、電子機器１１０に実現された銀行口座取引履歴提供システムは、図４に示す銀行口座取引履歴提供方法を実行してよい。
【００３７】
図４に示す銀行口座取引履歴提供方法を実行するために、電子機器１１０のプロセッサ２１２は、構成要素として、図３に示すように、取引履歴ロード部３１０、個人情報確認部３２０、および取引履歴提供部３３０を備えてよい。実施形態によって、プロセッサ２１２の構成要素は、選択的にプロセッサ２１２に含まれても除外されてもよい。また、実施形態によって、プロセッサ２１２の構成要素は、プロセッサ２１２の機能の表現のために分離されても併合されてもよい。
【００３８】
このようなプロセッサ２１２およびプロセッサ２１２の構成要素は、図４の銀行口座取引履歴提供方法が含む段階４１０〜４４０を実行するように電子機器１１０を制御してよい。例えば、プロセッサ２１２およびプロセッサ２１２の構成要素は、メモリ２１１が含むオペレーティングシステムのコードと、少なくとも１つのプログラムのコードとによる命令（ｉｎｓｔｒｕｃｔｉｏｎ）を実行するように実現されてよい。
【００３９】
ここで、プロセッサ２１２の構成要素は、電子機器１１０に記録されたプログラムコードが提供する命令（一例として、電子機器１１０において実行されるアプリケーションが提供する命令）にしたがってプロセッサ２１２によって実行される、プロセッサ２１２の互いに異なる機能（ｄｉｆｆｅｒｅｎｔ  ｆｕｎｃｔｉｏｎｓ）の表現であってよい。例えば、電子機器１１０がメッセンジャーと連携する銀行口座の取引履歴をローディングするように上述した命令にしたがって電子機器１１０を制御するプロセッサ２１２の機能的表現として、取引履歴ロード部３１０が利用されてよい。
【００４０】
段階４１０で、プロセッサ２１２は、電子機器１１０の制御と関連する命令がロードされたメモリ２１１から必要な命令を読み取ってよい。この場合、前記読み取られた命令は、以下で説明する段階４２０〜４４０をプロセッサ２１２が実行するように制御するための命令を含んでよい。
【００４１】
段階４２０で、取引履歴ロード部３１０は、メッセンジャーがインストールされた電子機器１１０において、メッセンジャーと連携する銀行口座に対する取引履歴要求が受信されると、該当の銀行口座の取引履歴をローディングしてよい。一例として、取引履歴ロード部３１０は、取引履歴要求にしたがい、サーバ１５０との連動あるいはクライアント上のローカル保存場所に、電子機器１１０上のメッセンジャーと連携する銀行口座の取引履歴をローディングしてよい。取引履歴ロード部３１０は、取引履歴要求に対し、該当の銀行口座の取引履歴を残高情報とともにローディングしてよい。このとき、取引履歴は、銀行口座の出金履歴と入金履歴を含んでよく、各取引件別に、取引対象の銀行口座情報（例えば、金融機関、銀行口座番号、預金者など）、取引要求メモ（例えば、通帳記入内容など）、取引金額、取引時間などを含んでよい。出金履歴の場合は、送金、決済、引き出しなどのような取引類型に関する情報がさらに含まれてよい。他の例として、取引履歴提供部３３０は、銀行口座の入金履歴および出金履歴などのような取引履歴を示すメッセージだけでなく、メッセンジャーと連携する銀行口座のユーザメモを、ユーザメモ情報（例えば、メモが入力された時間）とともにローディングしてよい。ユーザメモは、ユーザが銀行口座のチャットルームにおいて送信したメッセージであってよく、テキストはもちろん、写真、動画、オーディオ、各種スタンプなどのようにメッセージとして作成可能なすべての類型のコンテンツを含んでよい。
【００４２】
段階４３０で、個人情報確認部３２０は、銀行口座の取引履歴に含まれた取引対象それぞれに対し、取引対象とマッチングされるメッセンジャー上の個人情報を確認してよい。個人情報確認部３２０は、取引履歴に含まれた取引対象に対する情報に基づき、電子機器１１０のユーザと取り引きした対象がメッセンジャー利用者であるかを確認し、メッセンジャー利用者の場合にはメッセンジャー上の個人情報を取得してよい。一例として、個人情報確認部３２０は、取引対象に関する情報をサーバ１５０に伝達し、該当の情報とマッチングされるメッセンジャー利用者を探索して確認してよい。このとき、サーバ１５０は、確認されたメッセンジャー利用者を取引履歴と関連付けて記録してよい。サーバ１５０は、事前に定められた条件に基づき、取引対象との取引履歴と該当の取引対象のプロフィール情報を連携させて記録してよい。例えば、同一の取引対象に対し、一定の期間内に一定の回数以上の取引があったり、一定の期間を周期として繰り返し取引があったりする場合、該当の取引対象との取引履歴をメッセンジャー上のプロフィール情報と関連付けて記録してよい。他の例として、取引対象が電子機器１１０にインストールされたメッセンジャーの友だちリストに含まれた利用者であるかを確認してよい。
【００４３】
段階４４０で、取引履歴提供部３３０は、メッセンジャーの会話インタフェースとしてメッセンジャーと連携する銀行口座のチャットルームを提供してよく、このとき、銀行口座のチャットルームに表示可能なメッセージ類型を利用し、該当の銀行口座の取引履歴を出金履歴と入金履歴とに区分して表示してよい。取引履歴提供部３３０は、メッセンジャーと連携する各銀行口座別にチャットルームを生成してよい。また、取引履歴提供部３３０は、ユーザ同士がやり取りするメッセージを表示する一般のチャットルーム形態と同じように、銀行口座の取引履歴を、該当の銀行口座のチャットルームでやり取りするメッセージ単位で表示してよい。一例として、取引履歴提供部３３０は、銀行口座のチャットルームにおいて、入金履歴は受信メッセージ単位として左側に、出金履歴は発信メッセージ単位として右側に表示してよい。さらに、銀行口座の取引履歴は、取引時間順に整列して表示してよく、具体的な例として、ここ最近の取引と関連のあるメッセージは、チャットルームの最下端または下端になるように取引履歴を表示してよい。
【００４４】
特に、取引履歴提供部３３０は、銀行口座の取引履歴を該当の銀行口座のチャットルームで提供するにあたり、各取引件別に、取引対象に対してメッセンジャー上の個人情報として設定されたプロフィールをともに表示してよい。言い換えれば、取引履歴提供部３３０は、銀行口座のチャットルームに各取引件別の取引内容をメッセージ単位で表示してよく、このとき、取引対象のメッセンジャー上のプロフィールをともに連携させて表示してよい。該当の取引が、メッセンジャーアプリケーションまたはサーバ１５０によって管理されるソーシャルグラフまたはユーザ情報と連動可能な金融サービスを利用してなされたものである場合、取引対象情報には、取引対象に対するメッセンジャー上のユーザ情報（例えば、取引対象のメッセンジャーＩＤ（Ｉｄｅｎｔｉｆｉｃａｔｉｏｎ）またはメッセンジャーアプリケーションによって管理される取引対象のＩＤ）が含まれてよい。この後、取引履歴を表示するとき、取引対象情報に含まれた、取引対象に対するメッセンジャー上のユーザ情報を利用してサーバ１５０上に記録された該当の取引対象のメッセンジャー上のプロフィールを照会し、これを表示してよい。例えば、メッセンジャーユーザである「Ｃｏｎｙ」から、メッセンジャー内のユーザインタフェースを利用してメッセンジャーユーザである「Ｂｒｏｗｎ」に送金要求があった場合、送金要求とともに、メッセンジャーアプリケーションで管理される「Ｂｒｏｗｎ」の固有のＩＤ情報または「Ｂｒｏｗｎ」のユーザＩＤを、バンキングサービスを提供するサーバにともに送信してよい。バンキングサービスの１つとして、送金要求による「Ｃｏｎｙ」から「Ｂｒｏｗｎ」への送金が成功した後、該当の送金に対する取引履歴を表示するときには、取引対象情報に含まれた「Ｂｒｏｗｎ」のＩＤ情報またはユーザＩＤを利用してサーバ１５０上に記録された「Ｂｒｏｗｎ」のメッセンジャー上のプロフィールを照会し、これを表示してよい。この反面、取引対象情報に取引対象に対するメッセンジャー上のユーザ情報が含まれていない場合、取引対象情報を利用して取引対象と関連付けられたメッセンジャー上のユーザ情報があるかを判断し、取引対象と関連付けられたメッセンジャー上のユーザ情報がある場合には、該当のユーザ情報と関連付けられたユーザのプロフィールを表示してよい。例えば、メッセンジャーユーザである「Ｃｏｎｙ」がＬＩＮＥ  Ｆｒｉｅｎｄｓショップで取引をし、これによって「Ｃｏｎｙ」の銀行口座から出金処理がなされた場合、該当の取引対象情報には、取引対象としてメッセンジャー上のユーザ情報が含まれていないことがある。このとき、取引対象情報に含まれた取引先名である「ＬＩＮＥ  Ｆｒｉｅｎｄｓ」などを利用して取引対象と関連するメッセンジャー上の公式アカウントがあるかを判断し、「ＬＩＮＥ  Ｆｒｉｅｎｄｓ」と関連するメッセンジャー上の公式アカウントが存在する場合には、該当の公式アカウントのプロフィールを表示してよい。他の実施形態によると、取引対象情報に、取引対象に対するメッセンジャー上のユーザ情報が含まれていない場合、ユーザによって該当の取引対象がメッセンジャー上の他のユーザと関連付けされてよく、このとき、同一の取引対象に対しては、ユーザによって関連付けされたユーザのプロフィールを表示してよい。例えば、メッセンジャーユーザである「Ｃｏｎｙ」がＸＹＺ銀行１２３−３３３２２２−０００１１（預金主「Ｓａｌｌｙ  Ｋｉｍ」）に送金する取引に対し、取引対象である「Ｓａｌｌｙ  Ｋｉｍ」が、メッセンジャー内の他のユーザである「Ｓａｌｌｙ」と関連付けられることがある。このとき、該当の取引を含み、銀行預金主名、銀行口座番号、取引メモなどに基づいて同一の取引対象を含むと判断された取引に対しては、「Ｓａｌｌｙ」のプロフィールが表示されてよい。
【００４５】
メッセージで表示される取引内容は、取引履歴に含まれる情報に基づいて再構成されてよい。例えば、出金履歴の場合は、取引類型、受取人や取引先、取引金額、取引時間などを含んでよく、入金履歴の場合は、送金人、通帳記入内容、取引金額、取引時間などを含んでよい。また、取引履歴提供部３３０は、入金履歴または出金履歴の他に、ユーザメモを、入金履歴または出金履歴などのような取引履歴を示すメッセージとは区分されるようにメッセージ単位で表示してよい。このとき、取引履歴の各取引時間およびユーザメモ情報に基づいてメッセージを順に表示してよく、ユーザメモに該当するメモメッセージは、電子機器１１０のユーザのメッセンジャー上のプロフィールとともに連携させて表示してよい。
【００４６】
したがって、取引履歴提供部３３０は、メッセンジャーと連携する銀行口座のチャットルームにおいて該当の銀行口座の取引履歴を提供することができ、特に、各取引件別に取引内容をメッセージ単位で表示することができるが、このとき取引対象のメッセンジャー上のプロフィールを連携させて表示することにより、取引内容の発生主体を直観的かつ効率的に分別することを可能にする、ユーザが使いやすいインタフェースを提供することができる。
【００４７】
図５は、本発明の一実施形態における、銀行口座の取引履歴を提供する会話インタフェースの例示画面を示した図である。
【００４８】
図５は、メッセンジャーと連携する銀行口座のチャットルーム５００を示している。
【００４９】
図５に示すように、銀行口座チャットルーム５００には、銀行口座の残高情報とともに、該当の銀行口座における入金／出金履歴である取引履歴が表示されてよい。取引履歴提供部３３０は、銀行口座チャットルーム５００において銀行口座の取引履歴を提供するにあたり、各取引件別に取引内容をメッセージ単位で表示するようになるが、このとき、出金履歴の場合は、発信メッセージ単位５１０として右側に、入金履歴の場合は、受信メッセージ単位５２０として左側に表示されてよい。
【００５０】
また、取引履歴提供部３３０は、取引内容を示す各メッセージ５１０、５２０に対し、メッセージの出処を示すオブジェクトの一種として、取引対象のメッセンジャー上のプロフィール５１１、５２１を表示してよい。入金履歴を示すメッセージ５２０のプロフィール５２１には、電子機器１１０のユーザに送金した相手のメッセンジャー上のプロフィールを表示してよい。出金履歴を示すメッセージ５１０のプロフィール５１１には、電子機器１１０のユーザのメッセンジャー上のプロフィールを表示してもよいし、あるいは取引類型に基づき、ユーザプロフィールの代わりに取引対象とマッチングされるメッセンジャー上のプロフィールを表示してもよい。例えば、電子機器１１０のユーザが個人に送金した履歴の場合にはユーザのメッセンジャー上のプロフィールを表示し、商店などでの支払いや公共料金などを納付した履歴の場合には、ユーザではなく、該当の商店や納付先のメッセンジャー上のプロフィールを表示してよい。出金履歴のうち、メッセンジャーの公式アカウントを有する取引対象との取引履歴に対しては、該当の履歴を示すメッセージのプロフィール５１１に公式アカウントのプロフィールを表示してよい。公式アカウントの所有主は、所望するプロフィール情報（プロフィールに含まれることが可能な、テキスト、イメージ、動画、ＵＲＬリンク情報などのような、すべての類型のコンテンツ）の修正が可能であり、公式アカウントのプロフィール情報が修正された場合、取引履歴を確認するユーザには、該当の所有主によって修正されたプロフィール情報が表示されてよい。
【００５１】
メッセンジャーバンキングサービスにおいて銀行口座の取引履歴を単純なリストで提供する従来の方式とは異なり、本発明の実施形態では、メッセージを互いにやり取りするチャットルーム形態により、取引履歴を出金履歴と入金履歴とに区分し、左右整列で異なるように表示することにより、銀行口座の取引履歴をより簡単に確認できるようにする。
【００５２】
図６は、本発明の一実施形態における、銀行口座の取引履歴に関連する、ユーザが使いやすいインタフェース（以下、「使いやすいインタフェース」）を提供する会話インタフェースの例示画面を示した図である。
【００５３】
図６に示すように、取引履歴提供部３３０は、銀行口座の取引履歴を提供するチャットルーム５００において、該当のチャットルーム５００内のインタフェースとして、ユーザメモやアラームなどのような使いやすいインタフェース６５０を提供してよい。例えば、図５のチャットルーム５００でメニュー呼び出しボタン５３０が入力されると、チャットルーム５００上にはメニューリスト形態の使いやすいインタフェース６５０が表示されてよい。
【００５４】
使いやすいインタフェース６５０には、チャットルーム５００の銀行口座からの送金（ｓｅｎｄ  ｍｏｎｅｙ）機能、決済（ｐａｙｍｅｎｔ）機能、引き出し（ｗｉｔｈｄｒａｗａｌ）機能などを開始させるユーザインタフェースが含まれてよく、さらに、チャットルーム５００内にメモを残すことのできるユーザメモ機能、チャットルーム５００と関連するアラームを設定するアラーム設定（ｓｅｔ  ａｌａｒｍ）機能などを開始させるユーザインタフェースをさらに含んでよい。言い換えれば、取引履歴提供部３３０は、メッセンジャーと連携する各銀行口座別に、銀行口座の取引履歴を提供するチャットルーム５００において、銀行口座および銀行口座の取引履歴と関連して利用可能な、使いやすいインタフェース６５０を統合して提供することができる。
【００５５】
チャットルーム５００は、銀行口座の取引履歴を提供する会話インタフェースとして銀行口座が特定されているため、チャットルーム５００内では取引する銀行口座を指定する過程を経る必要がなく、送金、決済、引き出しなどを直ぐに行うことができる。
【００５６】
ユーザメモ機能の場合、チャットルーム５００のメッセージ入力ウィンドウにおいてメモを作成してよいが、このとき、チャットルーム５００でメッセージを作成して送信する方式と同じように、テキストはもちろん、写真、動画、オーディオ、各種スタンプなどのように、メッセージとして作成可能なすべての類型のコンテンツでメモを入力してよい。
【００５７】
ユーザがチャットルーム５００のメッセージ入力ウィンドウにメモを作成した後、メッセージ送信ボタンを入力すると、該当の銀行口座のメモとして即時に登録されると同時に、図７に示すように、チャットルーム５００内の個別メッセージ７１５として表示されてよい。メモの内容を含むメッセージ７１５のプロフィール７１６には、電子機器１１０のユーザのメッセンジャー上のプロフィールが表示されてよく、該当のメッセージ７１５がメモであることを示す情報を表示したり、メモを示すメッセージ７１５を他のメッセージ、すなわち、取引履歴を示すメッセージ５１０、５２０と区分されるように表示したりしてよい。
【００５８】
チャットルーム５００には、ユーザが直接作成したメモが時間順に表示されてよく、ユーザは、チャットルーム５００で提供される銀行口座の取引履歴の内容と脈絡が合う時点に、所望のメモを入力して登録してよい。各取引件別に該当の取引内容に属するメモを登録するのではなく、チャットルーム５００のメッセージ入力ウィンドウでメモを作成して登録することにより、メッセージ単位で表示される各取引内容と同じレベルの個別トランザクションとして処理され、メモもチャットルーム５００の個別メッセージ単位で表示することができるため、メモの活用範囲を広げることができる。言い換えれば、チャットルーム５００上のユーザインタフェースを利用してチャットルーム５００にメモを登録するためのメモ登録を要求した場合、メモを示すメッセージを個別トランザクションとして処理してチャットルーム５００に追加することができる。
【００５９】
アラーム機能の場合、時間設定とアラーム内容の入力のためのインタフェースを提供してよく、これを利用してアラームを設定した場合、チャットルーム５００に関連するアラームとして登録されてよい。一例として、取引履歴提供部３３０は、アラーム設定時間になると、チャットルーム５００において、ユーザまたは銀行口座と関連する公式アカウントにて送信メッセージ形態でアラーム内容を出力し、アラームを提供してよい。
【００６０】
アラーム設定による通知メッセージも、メモと同じように個別トランザクションとして処理されてチャットルーム５００に追加されてよく、取引履歴を示すメッセージ５１０、５２０と区分されるように表示されてよい。チャットルーム５００上のユーザインタフェースを利用してチャットルーム５００と関連するアラームを設定するためのアラーム設定を要求した場合、アラームを示すメッセージを個別トランザクションとして処理してチャットルーム５００に追加してよい。
【００６１】
アラーム機能には、銀行口座と金額などの設定に基づく予約送金機能がさらに含まれてよく、取引履歴提供部３３０は、チャットルーム５００で予約送金に対する通知を提供してよい。予約送金に対する通知にはアラーム機能を利用して事前に設定された銀行口座と金額が含まれ、即時に送金可能なインタフェースが含まれてよい。
【００６２】
予約送金を可能にするために、メッセージ予約送信インタフェースが提供されてよい。予約送金に対応するメッセージを送信予定時間とともに登録することにより、該当のメッセージを登録するときに直ぐに送信されるのではなく、送信予定時間に送信されるように予約可能となり、これによって該当の時間に送金がなされるようにできる。
【００６３】
また他の例として、チャットルーム内で予約送金に該当するメッセージを送信することにより、予約送金が可能なインタフェースを提供してよい。チャットルーム５００に対して送金する銀行口座が特定されているため、送金時間、受取銀行口座、金額などをメッセージ内容に含ませてメッセージを送信することにより、手軽に予約送金を登録することができる。例えば、チャットルーム５００内で「＠Ｓａｌｌｙ  明日午前１０時に１０万ウォン送金して」というメッセージを２０１９年１月１日に送信した場合、Ｓａｌｌｙの銀行口座には、メッセージ送信日の翌日である２０１９年１月２日午前１０時に１０万ウォン送金する予約送金が登録されてよい。このとき、ユーザが受取銀行口座または正確な日時を入力しなくても、友だちリストまたは取引履歴に基づいてＳａｌｌｙに該当する銀行口座番号が特定され、メッセージ送信時間に基づいて送金時間が特定されてよい。同じように、チャットルーム５００内でメッセージを送信することにより、予約送金内訳の照会や予約送金内訳を取り消すインタフェースを提供してよい。
【００６４】
メモとアラームの場合、ユーザが送信するメッセージ形態で表示されるものと説明しているが、これに限定されることはなく、実施形態によっては、チャットルームの中立的なインタフェースとしてシステムが伝達するメッセージ類型で出力されてもよい。これは、メッセンジャー上でチャットルームに新たなユーザが参加したときに知らせてくれるインタフェースや、日付を区分してくれるインタフェースなどを活用するものと同じように、メモとアラームに該当するメッセージの場合には、会話形態のメッセージではなく、中立的な位置のシステムが内容を伝達する効果を与えてもよい。
【００６５】
したがって、本発明の実施形態では、銀行口座チャットルーム５００において、取引履歴の内容と脈絡を考慮しながら、ユーザが所望する位置に所望する内容のメモを入力することができ、所望する時点に通知を受けることができるようにアラームを設定することにより、ユーザの利便性を提供しながらも、メッセンジャーと関連するリソースを利用することにより、リソースを効率的に活用することができる。
【００６６】
図８は、本発明の一実施形態における、１対１の取引履歴を提供する会話インタフェースの例示画面を示した図である。
【００６７】
図８は、１対１取引履歴画面８００を示している。
【００６８】
図５のチャットルーム５００で特定の対象のプロフィールを選択した場合、図８に示すように、取引履歴提供部３３０は、選択された取引対象との取引履歴を１対１の会話形態である１対１取引履歴画面８００で提供してよい。
【００６９】
１対１取引履歴画面８００には、電子機器１１０のユーザが特定の対象に送金した履歴の場合には、発信メッセージ単位８１０として右側に、特定の対象が電子機器１１０のユーザに送金した履歴の場合には、受信メッセージ単位８２０として左側に、表示してよい。
【００７０】
言い換えれば、銀行口座の全体の取引履歴を提供するチャットルーム５００において、プロフィール選択によって取引対象を特定することができ、特定された対象とやり取りした履歴を選別して１対１会話のように表示することができる。１対１取引履歴画面８００は、全体の取引履歴から特定の対象との取引履歴をフィルタリングし、チャットルーム５００上にポップアップされるフィルタリング結果画面として提供することはもちろん、個別のチャットルーム形態で提供することも可能である。
【００７１】
１対１取引履歴画面８００には、選択された取引対象と、チャットルームと連携する１つまたは複数の銀行口座を利用して取引した履歴をメッセージ単位で表示してよい。例えば、図７のチャットルーム５００において、ＰＭ９：１７にＢｒｏｗｎからの入金履歴に関連するプロフィールを選択すると、図８の１対１取引履歴画面８００に切り換わってよい。このとき、１対１取引履歴画面８００において、ＡＢＣ  ｂａｎｋ  １２３−３３３２１２−０４１２２を利用してＢｒｏｗｎと取引した履歴だけを表示したり、ＡＢＣ  ｂａｎｋ  １２３−３３３２１２−０４１２２を含んだメッセンジャーと関連する銀行口座に対してＢｒｏｗｎと取引した履歴を表示したりすることができる。
【００７２】
１対１取引履歴画面８００でも、チャットルーム５００と同じように、メモやアラームなどの便利機能を提供してよい。１対１取引履歴画面８００の便利機能には、特定の対象に直ぐに送金する送金機能、特定の対象との取引履歴に関連するユーザメモを登録するためのメモ機能、特定の対象との取引履歴に関連するアラームを設定するためのアラーム設定機能などが含まれてよい。
【００７３】
１対１取引履歴画面８００は、取引対象が特定されているため、送金対象を指定する過程を経る必要なく、送金、メモ登録、アラーム設定などを直ぐに実行することができる。１対１取引履歴画面８００で登録されたメモの場合、電子機器１１０のユーザだけに表示される形態で処理されるか、あるいは特定の対象と共有可能な形態で処理されることも可能である。
【００７４】
図９は、本発明の一実施形態における、１対１取引履歴を提供する会話インタフェースの他の例示画面を示した図である。
【００７５】
図９は、１対１取引履歴画面９００を示している。
【００７６】
図５のチャットルーム５００において、電子機器１１０のユーザの出金履歴のうち、メッセンジャーの公式アカウントを有する取引対象との取引履歴に対しては、該当の履歴を示すメッセージのプロフィール５１１に公式アカウントのプロフィールを表示してよい。
【００７７】
図５のチャットルーム５００において、プロフィール選択によってメッセンジャーの公式アカウントを有する取引対象が特定された場合、図９に示すように、取引履歴提供部３３０は、特定の対象との取引履歴を１対１会話形態として１対１取引履歴画面９００を提供してよい。１対１取引履歴画面９００には、出金履歴を発信メッセージ単位９１０として右側に表示するようになるが、このとき、取引履歴提供部３３０は、１対１取引履歴画面９００において、特定の対象の公式アカウントに指定されたコンテンツ９２２を、受信メッセージ単位９２０として左側に表示して提供してよい。
【００７８】
公式アカウントには、コンテンツ９２２はもちろん、コンテンツ９２２の表示条件などが事前設定によって指定されてよい。一例として、取引履歴提供部３３０は、特定の対象との取引履歴がコンテンツ９２２の表示条件に対応する場合、１対１取引履歴画面９００でコンテンツ９２２を表示してよい。例えば、ＡＡＡカフェの公式アカウントに１回以上の取引履歴があるユーザを対象に提供されるクーポンが指定されている場合、ＡＡＡカフェとの取引履歴を提供する１対１取引履歴画面９００において１回以上の取引履歴が発生した時点に、該当のクーポンを表示してよい。他の例として、特定の対象との取引履歴を合算して１対１取引履歴画面９００で合算結果を提供したり、あるいは合算結果に基づいて各種イベントやプロモーション情報を特定の対象と関連するコンテンツとして提供したりすることも可能である。例えば、銀行口座と連携するチェックカードの公式アカウントプロフィールがチャットルーム５００に表示され、ユーザによって選択された場合、１対１取引履歴画面９００において該当のチェックカードの取引履歴だけを集めて表示してよく、このとき、単位期間内の累積利用金額を表示したり、チェックカードのイベントやプロモーション情報を提供したりしてよい。
【００７９】
したがって、本発明の実施形態では、銀行口座チャットルームにおいて、各取引件別に取引対象のプロフィールを取引内容とともに表示し、銀行口座チャットルームで特定の対象のプロフィールを選択すると、該当の取引対象とやり取りした履歴だけを選別して他の画面に表示するインタフェースを提供することにより、銀行口座取引履歴に対する探索をサポートし、活用性を極大化することができる。
【００８０】
このように、本発明の実施形態によると、銀行口座の取引履歴をチャットルーム形態で提供することができ、このとき、各取引別に取引対象のメッセンジャー上のプロフィールをともに提供することができる。また、本発明の実施形態によると、ユーザの利便のために、銀行口座の取引履歴を提供するチャットルームにおいて、該当のチャットルーム内のインタフェースを利用してメモやアラームなどのような使いやすいインタフェースを提供することができる。さらに、本発明の実施形態によると、取引履歴チャットルームにおいて、プロフィール選択によって特定された対象との取引履歴を集めて提供することができ、メッセンジャーの公式アカウントを有する取引対象に対し、取引履歴チャットルームで取引対象と関連するコンテンツを提供することができる。
【００８１】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００８２】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００８３】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００８４】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８５】
したがって、異なる実施形態であっても、特許請求の範囲と均等なものであれば、添付される特許請求の範囲に属する。
【符号の説明】
【００８６】
３１０：取引履歴ロード部
３２０：個人情報確認部
３３０：取引履歴提供部
【図１】
2020109643.tif 000003
【図２】
2020109643.tif 000004
【図３】
2020109643.tif 000005
【図４】
2020109643.tif 000006
【図５】
2020109643.tif 000007
【図６】
2020109643.tif 000008
【図７】
2020109643.tif 000009
【図８】
2020109643.tif 000010
【図９】
2020109643.tif 000011